(57)【特許請求の範囲】
【請求項１】
沈砂池に形成した集砂留槽内において昇降可能に配設した揚砂用の渦流ポンプと、該渦流ポンプにより吸い上げた揚砂を砂と水とに分離する砂分離機と、渦流ポンプから砂分離機への揚砂行程中に配設した揚砂濃度を検出する揚砂濃度センサーと、該揚砂濃度センサーによって検出した砂濃度に応じて前記渦流ポンプを昇降駆動する昇降制御手段とからなる揚砂装置において、前記砂分離機を、該砂分離機に形成したオーバフロー槽からの分離水を沈砂池の底部に配設した複数段の集砂ノズル用水として利用できる水頭を有する高さに設置し、分離水を集砂ノズル用水として沈砂池の底部に配設した複数段の集砂ノズルへ供給するようにしたことを特徴とする揚砂装置。
【請求項２】
昇降制御手段を、揚砂濃度センサーによって検出した砂濃度に応じて駆動される巻取ドラムにより構成し、巻取ドラムに巻収した索条の巻き出し、巻き取りにより渦流ポンプを昇降駆動するようにしたことを特徴とする請求項１記載の揚砂装置。
【請求項３】
昇降制御手段を、所定の時間間隔をもって間欠的に渦流ポンプを昇降駆動するようにしたことを特徴とする請求項１又は２記載の揚砂装置。
【発明の詳細な説明】
【０００１】
【発明の属する技術分野】
本発明は、揚砂装置に関し、特に、下水処理場、上水処理場等の沈砂池において、池底に沈下した沈砂を揚砂するための揚砂装置に関するものである。
【０００２】
【従来の技術】
従来、下水処理場、上水処理場等には、流入水に含まれる砂を除去するために沈砂池を設け、沈砂池の池底に沈下した沈砂を、揚砂装置により揚砂するようにしている。
この沈砂池は、例えば、図１０に示すように、沈砂池１の流入側１０に細目除塵機２を配設し、流入水に含まれる粗大ゴミを分離除去した後、細目除塵機２を通過した砂を沈砂池１の底部に自然沈下させるとともに、この沈砂を高圧ポンプ４０に接続された複数段の集砂ノズル４１，４２，４３から高圧水を噴射することにより、沈砂池１の最深部に形成した集砂留槽３に向けて移送し、集砂留槽３に配設した高圧ポンプ４０に接続されたジェットポンプ４から噴射される上向きの高圧水によって発生する負圧を利用して集砂留槽３内に集積された沈砂を水と共に沈砂池１の上方に配設した砂分離機６に吸い上げ、砂分離機６において、吸い上げた揚砂を砂と水とに分離し、砂をスクリューコンベアからなる揚砂移送機６１を介してホッパ１３へ排出し、一方、分離水を排水ポンプ１２を配設したポンプピット１１へ排水するように構成している。
この場合において、高圧ポンプ４０は、貯水タンクＴと接続し、貯水タンクＴに貯留した水を、必要量、高圧ポンプ４０から、バルブを介して、集砂ノズル４１，４２，４３及びジェットポンプ４に供給できるようにしている。
【０００３】
【発明が解決しようとする課題】
このように、従来の沈砂池１においては、沈砂池１の底部に自然沈下した沈砂を、高圧ポンプ４０に接続された複数段の集砂ノズル４１，４２，４３から高圧水を噴射することにより集砂留槽３に移送し、集砂留槽３に集積された沈砂を、ジェットポンプ４から噴射される上向きの高圧水によって砂分離機６に吸い上げるようにしているので、揚砂のために大量の水を必要とし、ジェットポンプ４の効率が１０％程度と低く、ジェットポンプ４にて吸い上げる水量の約２倍の駆動水が必要とされることと相俟って、ジェットポンプ４に接続する揚砂用配管４４、砂分離機６、ポンプピット１１に配設する排水ポンプ１２等を大形化する必要が生じ、高圧ポンプ４０、電力設備等を含む設備の構築コスト及び維持コストが上昇するという問題点があった。
また、高圧ポンプ４０からジェットポンプ４に供給する水は、ごみを除去した処理水や、清浄水が必要になるという問題点があった。
【０００４】
本発明は、従来の沈砂池の揚砂装置の有する問題点に鑑み、揚砂用のポンプに低廉な渦流ポンプを用いて、揚砂のために必要な水量、特に、清浄水の水量を低減しながら、効率よく、かつ、安定して揚砂を行うことができるようにした揚砂装置を提供することを目的とする。
【０００５】
【課題を解決するための手段】
上記目的を達成するため、本発明の揚砂装置は、沈砂池に形成した集砂留槽内において昇降可能に配設した揚砂用の渦流ポンプと、該渦流ポンプにより吸い上げた揚砂を砂と水とに分離する砂分離機と、渦流ポンプから砂分離機への揚砂行程中に配設した揚砂濃度を検出する揚砂濃度センサーと、該揚砂濃度センサーによって検出した砂濃度に応じて前記渦流ポンプを昇降駆動する昇降制御手段とからなる揚砂装置において、前記砂分離機を、該砂分離機に形成したオーバフロー槽からの分離水を沈砂池の底部に配設した複数段の集砂ノズル用水として利用できる水頭を有する高さに設置し、分離水を集砂ノズル用水として沈砂池の底部に配設した複数段の集砂ノズルへ供給するようにしたことを特徴とする。
【０００６】
この揚砂装置は、揚砂用のポンプに低廉な渦流ポンプを用いることにより、揚砂のために必要な水量、特に、清浄水の水量を低減することができる。
また、渦流ポンプから砂分離機への揚砂行程中に配設した揚砂濃度を検出する揚砂濃度センサーによって検出した砂濃度に応じて、渦流ポンプを昇降駆動する昇降制御手段を設けることにより、渦流ポンプを集砂留槽に集積された沈砂を吸い上げるのに最適な高さ位置に設置することができる。
そして、前記砂分離機を、該砂分離機に形成したオーバフロー槽からの分離水を沈砂池の底部に配設した複数段の集砂ノズル用水として利用できる水頭を有する高さに設置し、分離水を集砂ノズル用水として沈砂池の底部に配設した複数段の集砂ノズルへ供給するようにすることにより、揚砂のために必要な水量、特に、清浄水の水量をより低減することができる。
【０００７】
この場合において、昇降制御手段を、揚砂濃度センサーによって検出した砂濃度に応じて駆動される巻取ドラムにより構成し、巻取ドラムに巻収した索条の巻き出し、巻き取りにより渦流ポンプを昇降駆動するように構成することができる。
【０００８】
これにより、渦流ポンプを昇降駆動を簡易に、かつ、確実に行うことができる。
【０００９】
また、昇降制御手段を、所定の時間間隔をもって間欠的に渦流ポンプを昇降駆動するように構成することができる。
この場合、「時間間隔」は、渦流ポンプと揚砂濃度センサーとの距離に応じて決定するものとする。
【００１０】
これにより、渦流ポンプと揚砂濃度センサーとの距離が離れている場合でも、揚砂濃度センサーによって検出した砂濃度に応じて、渦流ポンプを集砂留槽に集積された沈砂を吸い上げるのに最適な高さ位置に安定して設置することができる。
【００１１】
【発明の実施の形態】
以下、本発明の揚砂装置の実施の形態を図面に基づいて説明する。
【００１２】
図１に、本発明の揚砂装置を適用した沈砂池１の第１実施例を示す。
この沈砂池１は、沈砂池１の流入側１０に細目除塵機２を配設し、流入水に含まれる粗大ゴミを分離除去した後、細目除塵機２を通過した砂を沈砂池１の底部に自然沈下させるとともに、この沈砂を沈砂池１の底部に配設した複数段の集砂ノズル４１，４２，４３から水を噴射することにより、沈砂池１の最深部に形成した集砂留槽３に向けて移送し、集砂留槽３に配設した揚砂用の渦流ポンプ５によって、集砂留槽３内に集積された沈砂を水と共に沈砂池１の上方に配設した砂分離機６に吸い上げ、砂分離機６において、吸い上げた揚砂を砂と水とに分離し、砂を揚砂移送機６１を介してホッパ１３へ排出し、一方、分離水をバルブＶ１，Ｖ２，Ｖ３，Ｖ４を配した配管１４を介して、集砂ノズル４１，４２，４３に供給し、また、バルブＶ５を配した配管１５を介して、排水ポンプ１２を配設したポンプピット１１へ排水するように構成している。
【００１３】
この場合において、複数段の集砂ノズル４１，４２，４３を設けた沈砂池１の底部は、沈砂を沈砂池１の最深部に形成した集砂留槽３に向けて移送しやすいように、集砂留槽３に向けて漸次傾斜して形成するようにしている。
【００１４】
また、渦流ポンプ５は、集砂留槽３内において昇降可能に配設するとともに、この渦流ポンプ５から砂分離機６への揚砂行程中、例えば、渦流ポンプ５に接続した揚砂管８に配設した揚砂濃度を検出する揚砂濃度センサー９によって検出した砂濃度に応じて、昇降制御手段７を介して渦流ポンプ５を昇降駆動し、渦流ポンプ５を集砂留槽３に集積された沈砂を吸い上げるのに最適な高さ位置に設置するようにする。
【００１５】
本実施例においては、渦流ポンプ５を昇降駆動する昇降制御手段７として、沈砂池１の固定側に基端を揺動可能に支持したリンク７０の先端に渦流ポンプ５を取り付け、リンク７０の一部に先端を係止した索条７１を、巻取ドラム７２に巻収し、索条７１の巻き出し、巻き取りにより、リンク７０を介して渦流ポンプ５を昇降駆動するようにする。
この場合、渦流ポンプ５と砂分離機６とを接続する揚砂管８は、リンク７０の揺動と渦流ポンプ５の昇降に追従して屈曲するフレキシブル管で以て構成するようにする。
【００１６】
砂分離機６は、底面が傾斜した砂分離槽６０の内底面に沿ってスクリューコンベア等の砂移送機６１を配設するとともに、オーバフロー槽６２を形成し、砂分離槽６０において、吸い上げた揚砂を砂と水とに分離するようにする。
そして、砂は、揚砂移送機６１を介してホッパ１３へ排出し、トラック等にて搬出するようにする。
一方、分離水は、オーバフロー槽６２及び配管１４，１５を介して、配管１４，１５に配設したバルブＶ１，Ｖ２，Ｖ３，Ｖ４，Ｖ５を適宜開閉操作することにより、排水ポンプ１２を配設したポンプピット１１のほか、その一部を、必要量だけ、沈砂池１の底部に複数段に設置した集砂ノズル４１，４２，４３へ集砂ノズル用水として選択的に供給するようにする。
この場合、揚砂装置の運転開始時には、分離水をバルブＶ１，Ｖ２，Ｖ３，Ｖ４を配した配管１４を介して、集砂ノズル４１，４２，４３に供給して集砂ノズル用水として用い、運転終了に際しては、配管１４に配したバルブＶ１，Ｖ２，Ｖ３，Ｖ４を閉鎖し、バルブＶ５を配した配管１５を介して、排水ポンプ１２を配設したポンプピット１１へ排水することにより、必要に応じて、運転終了時に沈砂池１をドライ化（水のない状態）にすることができる。
これにより、揚砂のために必要な水量、特に、清浄水の水量をより低減することができる。
【００１７】
この場合、砂分離機６は、沈砂池１に対して、分離水を集砂ノズル用水として利用できる水頭を有する所定の高さＨに設置するようにする。
また、分離水の水圧が不足する場合には、図８に示す参考例のように、貯水タンク１６に高圧ポンプ１７を接続し、この高圧ポンプ１７からの配管１８を集砂ノズル４１，４２，４３へ分離水を供給する配管１４内に接続して、配管１４内の水圧を増すようにすることができる。
このとき、図８（Ｂ）に示すように、配管１４内を流通する分離水の流れ方向と同方向に配管１８から水を吐出し、配管１４内の流速がより高速となるように構成することが望ましい。
これにより、分離水の水頭を補い、分離水を集砂ノズル用水として利用できるものとなる。
【００１８】
次に、渦流ポンプ５を集砂留槽３に集積された沈砂を吸い上げるのに最適な高さ位置に設置する昇降制御手段７を駆動制御する揚砂濃度センサー９について説明する。
この揚砂濃度センサー９は、渦流ポンプ５の位置の砂濃度と、揚砂濃度センサー９によって検出した砂濃度のタイムラグを小さくするため、渦流ポンプ５の近傍位置に配設することが望ましいが、後述のように、昇降制御手段７により、所定の時間間隔をもって間欠的に渦流ポンプ５を昇降駆動することにより、タイムラグの影響をなくすことができる。
【００１９】
揚砂濃度センサー９としては、種々の方法、機構を採用することができるが、以下、その一例を示す。
図４に示す揚砂濃度センサー９は、揚砂管８の一部に、両側の揚砂管８から荷重が伝達されないように絶縁材８１ａ，８１ａを介して検出管８１を浮遊状態に設置し、この検出管８１に重量センサー９１を取り付けて構成したものである。
そして、図４（Ｂ）に示すように、重量センサー９１により、検出管８１内を流動する砂を含有した水の重量を測定して、砂濃度を検出するようにする。より具体的には、砂の比重は２．６程度であり、砂濃度が１０％になれば、検知管８１内の水の重量は砂を含有した水に対して約１１．６％重くなる。このように、検知管８１内の水の重量を測定して砂濃度を検出することができる。
【００２０】
また、図５に示す検出センサー９は、揚砂管８の屈曲部、例えば、Ｌ字形に形成した屈曲部８２に突設したバーの先端にマグネット９Ｍを取り付けるとともに、このマグネット９Ｍをコイル９Ｃ内に配設して構成した振動検出計９２からなるものである。
そして、振動検出計９２により、揚砂管８の屈曲部８２内を流動する砂を含有した水によって生じる揚砂管８の振動を、励磁電流として測定して、砂濃度を検出するようにする。
【００２１】
また、図６に示す揚砂濃度センサー９は、揚砂管８の屈曲部、例えば、図６（Ａ）に示すように、Ｌ字形に形成した屈曲部８２、又は図６（Ｂ）に示すように、Ｕ字形に形成した屈曲部８２の外周を遮音性のボックス９３により囲み、この遮音性のボックス９３にて囲まれた内部にマイクロフォン等の音検出器９４を設置して構成したものである。
この場合、揚砂管８の屈曲部は、音検出器９４による測定精度を高めるために鋼管等の金属製の管部材で以て構成することが望ましい。
そして、図６（Ｃ）、（Ｄ）に示すように、音検出器９４により、揚砂管８の屈曲部８２内を流動する砂を含有した水によって生じる衝突音の大きさ及び周波数を測定して、砂を含有した水と砂を含有しない水の周波数特性を考慮して、砂濃度を検出するようにする。
【００２２】
また、図７に示す揚砂濃度センサー９は、図６に示す揚砂濃度センサー９と同様、揚砂管８の屈曲部、例えば、図７（Ａ）に示すように、Ｌ字形に形成した屈曲部８２の外周を遮音性のボックス９３により囲み、この遮音性のボックス９３にて囲まれた内部にマイクロフォン等の音検出器９４を設置し、さらに、揚砂管８に設置した流速計９５による計測値を補正値として加えるようにして構成したものである。
そして、図７（Ｃ）、（Ｄ）に示すように、音検出器９４により、揚砂管８の屈曲部８２内を流動する砂を含有した水によって生じる衝突音の大きさ及び周波数を測定して、砂を含有した水と砂を含有しない水の周波数特性を考慮するとともに、揚砂管８に設置した流速計９５による計測値を補正値として加えて、砂濃度を検出するようにする。
【００２３】
図９に、本発明の揚砂装置を適用した沈砂池１の第２実施例を示す。
この沈砂池１は、上記第１実施例の沈砂池と同様、沈砂池１の流入側１０に細目除塵機２を配設し、流入水に含まれる粗大ゴミを分離除去した後、細目除塵機２を通過した砂を沈砂池１の底部に自然沈下させるとともに、この沈砂を複数段の集砂ノズル４１，４２，４３から水を噴射することにより、沈砂池１の最深部に形成した集砂留槽３に向けて移送し、集砂留槽３に配設した揚砂用の渦流ポンプ５によって、集砂留槽３内に集積された沈砂を水と共に沈砂池１の上方に配設した砂分離機６に吸い上げ、砂分離機６において、吸い上げた揚砂を砂と水とに分離し、砂を揚砂移送機６１を介してホッパ１３へ排出し、一方、分離水をバルブＶ５を配した配管１５を介して、排水ポンプ１２を配設したポンプピット１１へ排水するように構成している。
【００２４】
本実施例においては、渦流ポンプ５を昇降駆動する昇降制御手段７として、沈砂池１の固定側に垂設したガイドレール７４に沿って昇降可能となるように配設した昇降台７５に渦流ポンプ５を取り付けるとともに、昇降台７５に先端を係止した索条７７を、巻取ドラム７６に巻収し、索条７７の巻き出し、巻き取りにより、昇降台７５を介して渦流ポンプ５を昇降駆動するようにする。
この場合、渦流ポンプ５と砂分離機６とを接続する揚砂管８は、索条７７と同じように巻取ドラム７６に巻収し、索条７７の巻き出し、巻き取りに合わせて巻き出し、巻き取りするように構成する。
【００２５】
なお、本実施例のその他の構成は、揚砂濃度センサー９を含め、上記第１実施例の沈砂池と同様である。
【００２６】
次に、本発明の揚砂装置による揚砂工程を図２に示すフローチャートに基づいて説明する。
このフローチャートは、揚砂濃度センサー９を、渦流ポンプ５の近傍位置に配設した場合を示す。
沈砂池１の揚砂を開始する場合、渦流ポンプ５は、集砂留槽３内に流入する砂の中に埋没しないように、集砂留槽３の上方位置（上端の待機位置）で待機するようにしている。
まず、昇降制御手段７を駆動することにより、渦流ポンプ５を集砂留槽３の上方位置から、沈砂池１内の上澄水の位置まで下降させ、渦流ポンプ５を起動し、吸い上げた上澄水を砂分離機６まで揚水し、分離水をバルブＶ１，Ｖ２，Ｖ３，Ｖ４を配した配管１４を介して、集砂ノズル４１，４２，４３に供給して、沈砂池１の底部に自然沈下している沈砂を集砂留槽３に向けて移送し、集積する。
次に、さらに昇降制御手段７を駆動することにより、渦流ポンプ５を集砂留槽３内に下降させる。
ところで、渦流ポンプ５を起動すると、揚砂濃度センサー９によって、揚砂管８内を流通する水の砂濃度が検出されるが、これにより、砂留槽３に集積された沈砂の表面位置に対する渦流ポンプ５の位置を検知することができる。
そして、揚砂濃度センサー９によって検出した砂濃度に応じて、昇降制御手段７を駆動することにより、渦流ポンプ５を集砂留槽３に集積された沈砂を吸い上げるのに最適な高さ位置に設置するようにする。より具体的には、揚砂濃度センサー９によって検出した砂濃度が、設定砂濃度（範囲）と比較して高い場合には、渦流ポンプ５が沈砂中に埋まっていると判断して、渦流ポンプ５を上昇させ、一方、設定砂濃度（範囲）と比較して低い場合には、渦流ポンプ５が沈砂に達していないと判断して、渦流ポンプ５を下降させ、砂濃度が、設定砂濃度（範囲）になるようにする。
このようにして、揚砂することにより、渦流ポンプ５を順次下降させ、渦流ポンプ５が集砂留槽３の下端（底部）に達すれば、揚砂を完了し、昇降制御手段７を駆動して渦流ポンプ５を集砂留槽３の上方位置（上端の待機位置）まで上昇させ、渦流ポンプ５、昇降制御手段７等を停止するようにする。
【００２７】
次に、揚砂濃度センサー９を、渦流ポンプ５から離れた位置に配設した場合には、昇降制御手段７により、所定の時間間隔をもって間欠的に渦流ポンプ５を昇降駆動することにより、タイムラグの影響をなくすことができるが、この揚砂工程を図３に示すフローチャートに基づいて説明する。
沈砂池１の揚砂を開始する場合、渦流ポンプ５は、集砂留槽３内に流入する砂の中に埋没しないように、集砂留槽３の上方位置（上端の待機位置）で待機するようにしている。
まず、昇降制御手段７を駆動することにより、渦流ポンプ５を集砂留槽３の上方位置から、沈砂池１内の上澄水の位置まで下降させ、渦流ポンプ５を起動し、吸い上げた上澄水を砂分離機６まで揚水し、分離水をバルブＶ１，Ｖ２，Ｖ３，Ｖ４を配した配管１４を介して、集砂ノズル４１，４２，４３に供給して、沈砂池１の底部に自然沈下している沈砂を集砂留槽３に向けて移送し、集積する。
次に、さらに昇降制御手段７を駆動することにより、渦流ポンプ５を集砂留槽３内に一定時間（又は距離）下降させる。
ところで、渦流ポンプ５を起動すると、揚砂濃度センサー９によって、揚砂管８内を流通する水の砂濃度が検出されるが、これにより、砂留槽３に集積された沈砂の表面位置に対する渦流ポンプ５の位置を検知することができる。
そして、揚砂濃度センサー９によって検出した砂濃度に応じて、昇降制御手段７を駆動することにより、渦流ポンプ５を集砂留槽３に集積された沈砂を吸い上げるのに最適な高さ位置に設置するようにする。より具体的には、揚砂濃度センサー９によって検出した砂濃度が、設定砂濃度（範囲）と比較して高い場合には、渦流ポンプ５が沈砂中に埋まっていると判断して、渦流ポンプ５を一定時間（又は距離）上昇させ、一方、設定砂濃度（範囲）と比較して低い場合には、渦流ポンプ５が沈砂に達していないと判断して、渦流ポンプ５を一定時間（又は距離）下降させ、砂濃度が、設定砂濃度（範囲）になるようにする。
この場合、揚砂濃度センサー９が、渦流ポンプ５から離れた位置に配設されていると、渦流ポンプ５の位置の砂濃度と、揚砂濃度センサー９によって検出した砂濃度のタイムラグがあるため、一定時間の待ち時間を設定する、すなわち、昇降制御手段７により、所定の時間間隔をもって間欠的に渦流ポンプ５を昇降駆動することにより、タイムラグの影響をなくすことができる。
このようにして、揚砂することにより、渦流ポンプ５を順次下降させ、渦流ポンプ５が集砂留槽３の下端（底部）に達すれば、揚砂を完了し、昇降制御手段７を駆動して渦流ポンプ５を集砂留槽３の上方位置（上端の待機位置）まで上昇させ、渦流ポンプ５、昇降制御手段７等を停止するようにする。
【００２８】
【発明の効果】
本発明の揚砂装置によれば、揚砂用のポンプに低廉な渦流ポンプを用いることにより、揚砂のために必要な水量、特に、清浄水の水量を低減することができ、これにより、渦流ポンプに接続する揚砂用配管、砂分離機、ポンプピットに配設する排水ポンプ等を大形化する必要がなく、高圧ポンプ、電力設備等を含む設備の構築コスト及び維持コストを低廉にできる。
また、渦流ポンプから砂分離機への揚砂行程中に配設した揚砂濃度を検出する揚砂濃度センサーによって検出した砂濃度に応じて、渦流ポンプを昇降駆動する昇降制御手段を設けることにより、渦流ポンプを集砂留槽に集積された沈砂を吸い上げるのに最適な高さ位置に設置することができ、これにより、効率よく、かつ、安定して揚砂を行うことができる。
そして、前記砂分離機を、該砂分離機に形成したオーバフロー槽からの分離水を沈砂池の底部に配設した複数段の集砂ノズル用水として利用できる水頭を有する高さに設置し、分離水を集砂ノズル用水として沈砂池の底部に配設した複数段の集砂ノズルへ供給するようにすることにより、揚砂のために必要な水量、特に、清浄水の水量をより低減することができ、これにより、渦流ポンプに接続する揚砂用配管、砂分離機、ポンプピットに配設する排水ポンプ等を大形化する必要がなく、高圧ポンプ、電力設備等を含む設備の構築コスト及び維持コストを低廉にできる。
【００２９】
また、昇降制御手段を、揚砂濃度センサーによって検出した砂濃度に応じて駆動される巻取ドラムにより構成し、巻取ドラムに巻収した索条の巻き出し、巻き取りにより渦流ポンプを昇降駆動するように構成することにより、渦流ポンプを昇降駆動を簡易に、かつ、確実に行うことができる。
【００３０】
また、昇降制御手段を、所定の時間間隔をもって間欠的に渦流ポンプを昇降駆動するように構成することにより、渦流ポンプと揚砂濃度センサーとの距離が離れている場合でも、揚砂濃度センサーによって検出した砂濃度に応じて、渦流ポンプを集砂留槽に集積された沈砂を吸い上げるのに最適な高さ位置に安定して設置することができる。
【図面の簡単な説明】
【図１】  本発明の揚砂装置を適用した沈砂池の第１実施例を示す説明図である。
【図２】  本発明の揚砂装置による揚砂工程のフローチャートである。
【図３】  本発明の揚砂装置による揚砂工程のフローチャートである。
【図４】  揚砂濃度センサーの一例を示す説明図である。
【図５】  揚砂濃度センサーの一例を示す説明図である。
【図６】    揚砂濃度センサーの一例を示す説明図である。
【図７】  揚砂濃度センサーの一例を示す説明図である。
【図８】  集砂ノズル用水の加速装置の説明図である。
【図９】  本発明の揚砂装置を適用した沈砂池の第２実施例を示す説明図である。
【図１０】  従来の揚砂装置を備えた沈砂池を示す説明図である。
【符号の説明】
１    沈砂池
１４  配管
１５  配管
１６  貯水タンク
１７  ポンプ
２    細目除塵機
３    集砂留槽
４１，４２，４３  集砂ノズル
５    渦流ポンプ
６    砂分離機
６０  砂分離槽
６１  砂移送機
６２  オーバフロー槽
７    昇降制御手段
８    揚砂管
８２  屈曲部
９    揚砂濃度センサー
Ｖ１，Ｖ２，Ｖ３，Ｖ４，Ｖ５  バルブ
【図１】
0003915949.tif 000002
【図２】
0003915949.tif 000003
【図３】
0003915949.tif 000004
【図４】
0003915949.tif 000005
【図５】
0003915949.tif 000006
【図６】
0003915949.tif 000007
【図７】
0003915949.tif 000008
【図８】
0003915949.tif 000009
【図９】
0003915949.tif 000010
【図１０】
0003915949.tif 000011